(57)【要約】      （修正有）【課題】フラットパネルディスプレイに対するモニタ保護装置を提供する。【解決手段】フラットパネルディスプレイに対するモニタ保護装置２０は、透明な硬質ボード２０４、及び該透明硬質ボード２０４の周囲に形成される接着フィルム２０６を有する。該接着フィルム２０６は、透明硬質ボード２０４の周囲にくっつく第１の平面、及びフラットパネルディスプレイに貼り付けられる第２の平面を有する。接着フィルムの第２の平面がフラットパネルディスプレイに貼り付けられるときに、透明硬質ボード２０４とフラットパネルディスプレイのモニタとの間において空間が形成される。【選択図】図２Ｂ
2012014125.tif 000002
【特許請求の範囲】
【請求項１】
フラットパネルディスプレイに対するモニタ保護装置であって、
透明硬質ボードと、
該透明硬質ボードの周囲にくっつく第１の平面及び前記フラットパネルディスプレイに貼り付けられる第２の平面を有する接着フィルムと、
を有し、
前記接着フィルムの前記第２の平面が前記フラットパネルディスプレイに貼り付けられるときに、前記透明硬質ボードと前記フラットパネルディスプレイのモニタとの間において空間が形成される、
モニタ保護装置。
【請求項２】
前記接着フィルムに対向する前記透明硬質ボードの平面は、被覆剤で更にコーティングされる、
請求項１記載のモニタ保護装置。
【請求項３】
前記被覆剤は、つや消し効果をもたらすよう使用される、
請求項２記載のモニタ保護装置。
【請求項４】
前記被覆剤は、対紫外線効果をもたらすよう使用される、
請求項２記載のモニタ保護装置。
【請求項５】
前記接着フィルムの前記第２の平面は、再利用可能な粘着性材料によって形成される、
請求項１記載のモニタ保護装置。
【請求項６】
前記接着フィルムの前記第２の平面は、粘着性材料によって形成される、
請求項１記載のモニタ保護装置。
【請求項７】
前記接着フィルムの前記第２の平面は、磁性材料によって形成される、
請求項１記載のモニタ保護装置。
【請求項８】
前記透明硬質ボードは、前記フラットパネルディスプレイの前記モニタより大きい、
請求項１記載のモニタ保護装置。
【請求項９】
前記接着フィルムは、前記モニタの外側における前記透明硬質ボードの領域の周囲に形成される、
請求項８記載のモニタ保護装置。
【請求項１０】
前記空間は閉鎖空間である、
請求項１記載のモニタ保護装置。
【発明の詳細な説明】
【技術分野】
【０００１】
本発明はフラットパネルディスプレイに対するモニタ保護装置に係り、より特には、モニタを傷が付くことから保護すること、気泡ができる問題を効果的に解決すること、並びに、外観及び画像品質を高めることができるモニタ保護装置に係る。
【背景技術】
【０００２】
液晶ディスプレイ（ＬＣＤ）、プラズマディスプレイパネル（ＰＤＰ）、発光ダイオード（ＬＥＤ）ディスプレイ等であるフラットパネルディスプレイは、低放熱、小型、及び低消費電力等である利点を備えており、そのためＴＶ、コンピュータシステム、個人用携帯端末（ＰＤＡ）、又は携帯電話において広く使用されている。従来の陰極線管（ＣＲＴ）ディスプレイの硬質ガラスモニタと比較すると、フラットパネルディスプレイのパネルは、より軟質の材料によって形成され、その表面硬度は、１Ｈが最も軟質であり１０Ｈが最も硬質であるロックウェル硬さにおいて実質的に２Ｈであり、そのため他のより硬質な物質によって傷をつけられる可能性が高い。
【０００３】
フラットパネルディスプレイが傷を付けられることを防ぐよう、ユーザは、保護層をモニタ表面に貼り付け得る。例えば、従来のラップトップ１０の概略図である図１が参照される。ラップトップ１０のモニタ表面は、保護層１００を貼り付けられ、モニタ表面が硬質な物質によって傷を付けられることを防ぐようにする。先行技術において、保護層１００は、軟質材料であり、ラップトップ１０のモニタ表面に貼り付けられるよう粘着性表面を備える。しかしながら、ラップトップ１０のモニタ表面に保護層１００を貼り付ける工程中、保護層１００がモニタ表面に密接に貼り付けられないために空気が完全に除去されない場合、気泡Ｂ１が生成される。モニタ表面が綺麗ではなく埃がついている場合、気泡Ｂ２が生成される。かかる気泡は外観上よろしくなく、モニタの透過率に影響を及ぼし、ディスプレイ画像において不均等性を引き起こす。より重要なことには、貼付け工程がどんなに向上しようとも、このような気泡は依然として貼付け工程中に生成されてしまう。
【０００４】
したがって、気泡が生成されることを防ぐために従来の保護層をどのように改善するかは、業界において問題となっている。
【発明の概要】
【発明が解決しようとする課題】
【０００５】
したがって本発明は、フラットパネルディスプレイに対するモニタ保護装置を与える、ことを目的とする。
【課題を解決するための手段】
【０００６】
本発明は、フラットパネルディスプレイに対するモニタ保護装置を開示する。モニタ保護装置は、透明な硬質ボード、及び該透明硬質ボードの周囲に形成される接着フィルムを有する。該接着フィルムは、透明硬質ボードの周囲にくっつく第１の平面、及びフラットパネルディスプレイに貼り付けられる第２の平面を有する。空間は、接着フィルムの第２の平面がフラットパネルディスプレイに貼り付けられるときに透明硬質ボードとフラットパネルディスプレイのモニタとの間において形成される。
【０００７】
本発明のかかる目的及び他の目的は、以下における複数の図面に示される望ましい実施例の詳細な説明を読む当業者には明らかである。
【図面の簡単な説明】
【０００８】
【図１】従来のラップトップの概略図である。
【図２Ａ】本発明の一実施例に従ったモニタ保護装置の概略図である。
【図２Ｂ】図２Ａ中のモニタ保護装置をフラットパネルディスプレイに組み立てる概略図である。
【図２Ｃ】図２Ａ中のモニタ保護装置をフラットパネルディスプレイに組み立てる概略図である。
【発明を実施するための形態】
【０００９】
図２Ａ乃至２Ｃが参照される。図２Ａは、本発明の一実施例に従ったモニタ保護装置２０の概略図であり、図２Ｂ及び図２Ｃは、フラットパネルディスプレイ２００にモニタ保護装置２０を組み立てる概略図である。モニタ保護装置２０の組立て工程を明確に図示するよう、方向Ｄ１，Ｄ２は、図２Ａ乃至２Ｃにおいて２つの対向する方向を示し、「・」は観察者に向かう方向Ｄ１を示す一方、「×」は観察者から離れる方向Ｄ２を示す。モニタ保護装置２０は、フラットパネルディスプレイ２００のモニタ２０２を保護し、透明硬質ボード２０４及び接着フィルム２０６を有する。透明硬質ボード２０４は、高い硬度を有する透明な非粘着性材料によって形成され、モニタ２０２が硬質の物質によって傷をつけられることを防ぐ。接着フィルム２０６は、透明硬質ボード２０４の周囲に形成され、透明硬質ボード２０４に対してあるいは透明硬質ボード２０４上においてくっつく平面、及びフラットパネルディスプレイ２００に貼り付けられる他の平面を有する。
【００１０】
即ち、透明硬質ボード２０４は、モニタ２０２より大きく、望ましくはフラットパネルディスプレイ２００と同等であるか、あるいはそれより実質的に小さく、接着フィルム２０６は、モニタ２０２の外側における透明硬質ボード２０４の領域の周囲に形成される。したがって、図２Ｂ及び図２Ｃに示される通り、モニタ保護装置２０がフラットパネルディスプレイ２００上に取り付けられるとき、本発明は、モニタ２０２の外側におけるフラットパネルディスプレイ２００の領域に接着フィルム２０６を貼り付ける。かかる状況において、接着フィルム２０６の厚さ及び透明硬質ボード２０４の硬さを利用することによって、モニタ２０２と透明硬質ボード２０４との間において空隙があり、望ましくは閉鎖空間である空間が形成される。言い換えれば、モニタ２０２は透明硬質ボード２０４に貼り付けられず、先行技術における気泡生成の問題を防ぎ、また閉鎖空間に埃又は汚れが入ることを防ぐようにする。
【００１１】
先行技術において、モニタ保護層はモニタ表面に貼り付けられ、気泡が生成されやすく、故に優れない外観及びディスプレイ画像における不均等性を引き起こす。相対的に、本発明は、モニタ２０２にいかなる材料も貼り付けず、その代わりに透明硬質ボード２０４の支持及び接着フィルム２０６の厚さを利用して、透明硬質ボード２０４とモニタ２０２との間において閉鎖空間を形成し、気泡が生成されること及び埃又は汚れの影響を防ぐようにする。したがって、本発明はモニタ２０２を硬質な物質によって傷を付けられることから保護し得、より重要なことには、本発明は、外観及び画像品質を高めるよう気泡の生成の問題を効率的に解決し得る。
【００１２】
特に図２Ａ乃至２Ｃは、本発明の一実施例に従った概略図であり、当業者は容易に修正及び変更を適宜行なうべきである。例えば、フラットパネルディスプレイ２００は、液晶ディスプレイ（ＬＣＤ）、プラズマディスプレイパネル（ＰＤＰ）、発光ダイオード（ＬＥＤ）ディスプレイ等であり得、また、ＴＶ、コンピュータシステム、携帯用個人端末（ＰＤＡ）等のディスプレイ装置であり得る。更に、透明硬質ボード２０４の材料は、該材料が硬質且つ透明である限り、特定の材料に制限されない。本発明において記載される「硬質な材料」は、硬質且つ屈曲不可能な材料を意味するものではなく、より高い硬度の透明硬質ボード２０４を意味し、透明硬質ボード２０４の屈曲はより少ない。更には、透明硬質ボード２０４は、つや消し効果、対紫外線効果等である多種の目的によって被覆剤でコーティングされ得る。同様に、接着フィルム２０６の材料は、接着フィルム２０６の一方の平面が透明硬質ボード２０４にくっつき得、且つ接着フィルム２０６の他方の平面がフラットパネルディスプレイ２００に貼り付けられ得る限り、特定の材料に制限されない。フラットパネルディスプレイ２００に貼り付けられる接着フィルム２０６の平面は望ましくは、制限的ではないが再利用可能な粘着性材料、粘着性材料（ゴム等）、磁性材料等によって形成される。
【００１３】
結論として、本発明は、モニタにいかなる材料も貼り付けず、その代わりに透明硬質ボードとモニタとの間において閉鎖空間を形成するよう透明硬質ボードの支持及び接着フィルムの厚さを利用し、気泡の生成及び埃又は汚れの影響を防ぐようにする。したがって本発明は、モニタを硬質な物質によって傷を付けられることから保護し得、より重要なことには本発明は、気泡生成の問題を効率的に解決し、外観及び画像品質を高めるようにすることができる。
【００１４】
当業者は、本発明の教示を保持する一方で当該装置及び方法の多数の修正及び変更が行なわれ得る、ことを容易に理解する。
【符号の説明】
【００１５】
１０  ノート型パソコン
２０  モニタ保護装置
１００  保護層
２０２  モニタ
２０４  透明硬質ボード
２０６  接着フィルム
Ｂ１  気泡
Ｂ２  気泡
Ｄ１  観察者に向かう方向
Ｄ２  観察者から離れる方向
【図１】
2012014125.tif 000003
【図２Ａ】
2012014125.tif 000004
【図２Ｂ】
2012014125.tif 000005
【図２Ｃ】
2012014125.tif 000006
【外国語明細書】
2012014125.tif 000007
2012014125.tif 000008
2012014125.tif 000009
2012014125.tif 000010
2012014125.tif 000011
2012014125.tif 000012
2012014125.tif 000013
2012014125.tif 000014
2012014125.tif 000015
【図１】
2012014125.tif 000016
【図２Ａ】
2012014125.tif 000017
【図２Ｂ】
2012014125.tif 000018
【図２Ｃ】
2012014125.tif 000019